【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
ディスプレイデバイスであって、
導波管アセンブリであって、前記導波管アセンブリは、光を出力し、画像を表示するように構成される導波管を備える、導波管アセンブリと、
前記導波管の主要表面に面した主要表面を有する適応レンズアセンブリであって、前記適応レンズアセンブリは、
波長板レンズと、
切替可能な波長板アセンブリであって、
体積をそれらの間に画定する第１の非液晶４分の１波長板および第２の非液晶４分の１波長板と、
前記第１の４分の１波長板と前記第２の４分の１波長板との間の体積内に配置される液晶層であって、前記液晶層の液晶分子は、選択的に切替可能な配向を有する、液晶層と
を備える、切替可能な波長板アセンブリと
を備える、適応レンズアセンブリと
を備える、ディスプレイデバイス。
【請求項２】
前記切替可能な波長板アセンブリはさらに、前記第１の４分の１波長板と前記第２の４分の１波長板との間の体積内に配置される電極パターンを備え、前記電極パターンは、電場を選択的に確立し、前記液晶分子の配向を変化させるように構成される伝導性材料を含む、請求項１に記載のディスプレイデバイス。
【請求項３】
前記電極パターンは、前記第１の４分の１波長板上に配置され、別の電極パターンは、前記第２の４分の１波長板上の体積内に配置される、請求項２に記載のディスプレイデバイス。
【請求項４】
前記波長板レンズは、液晶ポリマー層を備える、請求項１に記載のディスプレイデバイス。
【請求項５】
前記適応レンズアセンブリはさらに、前記波長板レンズと前記第１の４分の１波長板との間に配置される整合層を備え、前記整合層は、少なくとも部分的に、前記液晶ポリマー層内の液晶分子の配向を決定する、請求項４に記載のディスプレイデバイス。
【請求項６】
前記波長板レンズは、他の液晶ポリマー層を前記液晶ポリマー層上に備える、請求項４に記載のディスプレイデバイス。
【請求項７】
前記第１の４分の１波長板と前記第２の４分の１波長板との間の体積はさらに、前記第１の４分の１波長板と前記第２の４分の１波長板との間に延在するセル壁によって画定され、前記セル壁は、インクジェット印刷可能材料を含む、請求項１に記載のディスプレイデバイス。
【請求項８】
前記波長板レンズおよび前記切替可能な波長板アセンブリは、適応レンズサブアセンブリを構成し、前記適応レンズアセンブリは、複数の適応レンズサブアセンブリを備え、各適応レンズサブアセンブリは、
波長板レンズと、
切替可能な波長板アセンブリと
を備える、請求項１に記載のディスプレイデバイス。
【請求項９】
他の適応レンズアセンブリを前記導波管アセンブリの前記適応レンズアセンブリと反対の側にさらに備え、前記他の適応レンズアセンブリは、関連付けられた波長板レンズと、関連付けられた切替可能な波長板アセンブリとを備える、請求項１に記載のディスプレイデバイス。
【請求項１０】
適応レンズアセンブリであって、
波長板レンズと、
切替可能な波長板アセンブリであって、
体積をそれらの間に画定する第１の非液晶４分の１波長板および第２の非液晶４分の１波長板と、
前記第１の４分の１波長板と前記第２の４分の１波長板との間の体積内に配置される液晶層であって、前記液晶層の液晶分子は、選択的に切替可能な配向を有する、液晶層と
を備える、切替可能な波長板アセンブリと
を備える、適応レンズアセンブリ。
【請求項１１】
前記切替可能な波長板アセンブリはさらに、前記第１の４分の１波長板と前記第２の４分の１波長板との間の体積内に配置される電極パターンを備え、前記電極パターンは、電場を選択的に確立し、前記液晶分子の配向を変化させるように構成される伝導性材料を含む、請求項１０に記載のディスプレイデバイス。
【請求項１２】
前記電極パターンは、前記第１の４分の１波長板上に配置され、他の電極パターンは、前記第２の４分の１波長板上の体積内に配置される、請求項１１に記載のディスプレイデバイス。
【請求項１３】
前記波長板レンズは、液晶ポリマー層を備える、請求項１０に記載のディスプレイデバイス。
【請求項１４】
前記適応レンズアセンブリはさらに、前記波長板レンズと前記第１の４分の１波長板との間に配置される整合層を備え、前記整合層は、少なくとも部分的に、前記液晶ポリマー層内の液晶分子の配向を決定する、請求項１３に記載のディスプレイデバイス。
【請求項１５】
前記波長板レンズは、他の液晶ポリマー層を前記液晶ポリマー層上に備える、請求項１３に記載のディスプレイデバイス。
【請求項１６】
前記第１の４分の１波長板と前記第２の４分の１波長板との間の体積はさらに、前記第１の４分の１波長板と前記第２の４分の１波長板との間に延在するセル壁によって画定され、前記セル壁は、インクジェット印刷可能材料を含む、請求項１０に記載のディスプレイデバイス。
【請求項１７】
前記波長板レンズおよび前記切替可能な波長板アセンブリは、適応レンズサブアセンブリを構成し、前記適応レンズアセンブリは、複数の適応レンズサブアセンブリを備え、各適応レンズサブアセンブリは、
波長板レンズと、
切替可能な波長板アセンブリと
を備える、請求項１０に記載のディスプレイデバイス。
【請求項１８】
ディスプレイデバイスであって、
導波管アセンブリであって、前記導波管アセンブリは、光を出力し、画像を表示するように構成される導波管を備える、導波管アセンブリと、
前記導波管の主要表面に面した主要表面を有する適応レンズアセンブリであって、前記適応レンズアセンブリは、
波長板レンズと、
切替可能な波長板アセンブリであって、
体積をそれらの間に画定する第１の基板および第２の基板と、
前記体積内に配置される液晶層と、
前記液晶層の液晶分子を整合させるための第１のガイドのセットであって、前記第１のガイドのセットは、前記体積内に配置され、前記第１の基板上にある第１の電極パターンを備える、第１のガイドのセットと、
前記液晶層の液晶分子を整合させるための第２のガイドのセットであって、前記第２のガイドのセットは、前記体積内に配置され、前記第１の基板上にある第２の電極パターンを備える、第２のガイドのセットと
を備え、
前記第１の電極パターンおよび前記第２の電極パターンは、前記液晶層の液晶分子の配向を選択的に変化させるための電場を確立するように構成される、切替可能な波長板アセンブリと
を備える、適応レンズアセンブリと
を備える、ディスプレイデバイス。
【請求項１９】
前記第１の電極パターンおよび前記第２の電極パターンのうちの少なくとも１つは、平行導体のアレイを備える、請求項１８に記載のディスプレイデバイス。
【請求項２０】
前記第１の電極パターンおよび前記第２の電極パターンのうちの少なくとも１つは、ワイヤメッシュを備える、請求項１８に記載のディスプレイデバイス。
【請求項２１】
前記第１の基板および前記第２の基板はそれぞれ、４分の１波長板を備える、請求項１８に記載のディスプレイデバイス。
【請求項２２】
前記波長板レンズおよび前記切替可能な波長板アセンブリは、適応レンズサブアセンブリを構成し、前記適応レンズアセンブリは、複数の適応レンズサブアセンブリを備え、各適応レンズサブアセンブリは、
波長板レンズと、
切替可能な波長板アセンブリと
を備える、請求項１８に記載のディスプレイデバイス。
【請求項２３】
他の適応レンズアセンブリを前記導波管アセンブリの前記適応レンズアセンブリと反対の側にさらに備え、前記他の適応レンズアセンブリは、関連付けられた波長板レンズと、関連付けられた切替可能な波長板アセンブリとを備える、請求項１８に記載のディスプレイデバイス。
【請求項２４】
適応レンズアセンブリであって、
波長板レンズと、
切替可能な波長板アセンブリであって、
体積をそれらの間に画定する第１の基板および第２の基板と、
前記体積内に配置される液晶層と、
前記液晶層の液晶分子を整合させるための第１のガイドのセットであって、前記第１のガイドのセットは、前記体積内に配置され、前記第１の基板上にある第１の電極パターンを備える、第１のガイドのセットと、
前記液晶層の液晶分子を整合させるための第２のガイドのセットであって、前記第２のガイドのセットは、前記体積内に配置され、前記第１の基板上にある第２の電極パターンを備える、第２のガイドのセットと
を備え、
前記第１の電極パターンおよび前記第２の電極パターンは、前記液晶層の液晶分子の配向を選択的に変化させるための電場を確立するように構成される、切替可能な波長板アセンブリと
を備える、適応レンズアセンブリ。
【請求項２５】
前記第１の電極パターンおよび前記第２の電極パターンのうちの少なくとも１つは、平行導体のアレイを備える、請求項２４に記載の適応レンズアセンブリ。
【請求項２６】
前記第１の電極パターンおよび前記第２の電極パターンのうちの少なくとも１つは、ワイヤメッシュを備える、請求項２４に記載の適応レンズアセンブリ。
【請求項２７】
前記第１の基板および前記第２の基板はそれぞれ、４分の１波長板を備える、請求項２４に記載のディスプレイデバイス。
【請求項２８】
前記波長板レンズは、液晶ポリマー層を備える、請求項２４に記載のディスプレイデバイス。
【請求項２９】
前記適応レンズアセンブリはさらに、前記波長板レンズと前記第１の４分の１波長板との間に配置される整合層を備え、前記整合層は、少なくとも部分的に、前記液晶ポリマー層内の液晶分子の配向を決定する、請求項２８に記載のディスプレイデバイス。
【請求項３０】
前記波長板レンズは、他の液晶ポリマー層を前記液晶ポリマー層上に備える、請求項２８に記載のディスプレイデバイス。
【請求項３１】
前記波長板レンズおよび前記切替可能な波長板アセンブリは、適応レンズサブアセンブリを構成し、前記適応レンズアセンブリは、複数の適応レンズサブアセンブリを備え、各適応レンズサブアセンブリは、
波長板レンズと、
切替可能な波長板アセンブリと
を備える、請求項２４に記載のディスプレイデバイス。
【手続補正２】
【補正対象書類名】明細書
【補正対象項目名】００２５
【補正方法】変更
【補正の内容】
【００２５】
第１の液晶層を堆積させるステップは、液晶材料をスロットダイを用いて適用するステップを含んでもよい。第１の液晶層を硬化させるステップは、第１の液晶層を紫外線（ＵＶ）光で照射するステップを含んでもよい。第１の液晶層を硬化させるステップは、第１の液晶層をオーブン内で加熱するステップを含んでもよい。本方法はさらに、第２の液晶層を第１のレンズ層にわたって適用するステップと、第２の液晶層を硬化させ、固体の第２のレンズ層を形成するステップとを含んでもよい。本方法はさらに、展開された基板を再巻取後、基板を展開し、複数の液晶セル壁を基板上に形成するステップを含んでもよい。複数の液晶セル壁を形成するステップは、インクジェット堆積を含んでもよい。本方法はさらに、基板を他の基板に取り付け、基板と他の基板と液晶セル壁とによって画定された開放体積を形成するステップと、開放体積を液晶材料で充填するステップとを含んでもよい。基板は、整合特徴をその上に備える、４分の１波長板であってもよい。
本願明細書は、例えば、以下の項目も提供する。
（項目１）
ディスプレイデバイスであって、
導波管アセンブリであって、前記導波管アセンブリは、光を出力し、画像を表示するように構成される導波管を備える、導波管アセンブリと、
前記導波管の主要表面に面した主要表面を有する適応レンズアセンブリであって、前記適応レンズアセンブリは、
波長板レンズと、
切替可能な波長板アセンブリであって、
体積をそれらの間に画定する第１の非液晶４分の１波長板および第２の非液晶４分の１波長板と、
前記第１の４分の１波長板と前記第２の４分の１波長板との間の体積内に配置される液晶層であって、前記液晶層の液晶分子は、選択的に切替可能な配向を有する、液晶層と
を備える、切替可能な波長板アセンブリと
を備える、適応レンズアセンブリと
を備える、ディスプレイデバイス。
（項目２）
前記切替可能な波長板アセンブリはさらに、前記第１の４分の１波長板と前記第２の４分の１波長板との間の体積内に配置される電極パターンを備え、前記電極パターンは、電場を選択的に確立し、前記液晶分子の配向を変化させるように構成される伝導性材料を含む、項目１に記載のディスプレイデバイス。
（項目３）
前記電極パターンは、前記第１の４分の１波長板上に配置され、別の電極パターンは、前記第２の４分の１波長板上の体積内に配置される、項目２に記載のディスプレイデバイス。
（項目４）
前記波長板レンズは、液晶ポリマー層を備える、項目１に記載のディスプレイデバイス。
（項目５）
前記適応レンズアセンブリはさらに、前記波長板レンズと前記第１の４分の１波長板との間に配置される整合層を備え、前記整合層は、少なくとも部分的に、前記液晶ポリマー層内の液晶分子の配向を決定する、項目４に記載のディスプレイデバイス。
（項目６）
前記波長板レンズは、他の液晶ポリマー層を前記液晶ポリマー層上に備える、項目４に記載のディスプレイデバイス。
（項目７）
前記第１の４分の１波長板と前記第２の４分の１波長板との間の体積はさらに、前記第１の４分の１波長板と前記第２の４分の１波長板との間に延在するセル壁によって画定され、前記セル壁は、インクジェット印刷可能材料を含む、項目１に記載のディスプレイデバイス。
（項目８）
前記波長板レンズおよび前記切替可能な波長板アセンブリは、適応レンズサブアセンブリを構成し、前記適応レンズアセンブリは、複数の適応レンズサブアセンブリを備え、各適応レンズサブアセンブリは、
波長板レンズと、
切替可能な波長板アセンブリと
を備える、項目１に記載のディスプレイデバイス。
（項目９）
他の適応レンズアセンブリを前記導波管アセンブリの前記適応レンズアセンブリと反対の側にさらに備え、前記他の適応レンズアセンブリは、関連付けられた波長板レンズと、関連付けられた切替可能な波長板アセンブリとを備える、項目１に記載のディスプレイデバイス。
（項目１０）
適応レンズアセンブリであって、
波長板レンズと、
切替可能な波長板アセンブリであって、
体積をそれらの間に画定する第１の非液晶４分の１波長板および第２の非液晶４分の１波長板と、
前記第１の４分の１波長板と前記第２の４分の１波長板との間の体積内に配置される液晶層であって、前記液晶層の液晶分子は、選択的に切替可能な配向を有する、液晶層と
を備える、切替可能な波長板アセンブリと
を備える、適応レンズアセンブリ。
（項目１１）
前記切替可能な波長板アセンブリはさらに、前記第１の４分の１波長板と前記第２の４分の１波長板との間の体積内に配置される電極パターンを備え、前記電極パターンは、電場を選択的に確立し、前記液晶分子の配向を変化させるように構成される伝導性材料を含む、項目１０に記載のディスプレイデバイス。
（項目１２）
前記電極パターンは、前記第１の４分の１波長板上に配置され、他の電極パターンは、前記第２の４分の１波長板上の体積内に配置される、項目１１に記載のディスプレイデバイス。
（項目１３）
前記波長板レンズは、液晶ポリマー層を備える、項目１０に記載のディスプレイデバイス。
（項目１４）
前記適応レンズアセンブリはさらに、前記波長板レンズと前記第１の４分の１波長板との間に配置される整合層を備え、前記整合層は、少なくとも部分的に、前記液晶ポリマー層内の液晶分子の配向を決定する、項目１３に記載のディスプレイデバイス。
（項目１５）
前記波長板レンズは、他の液晶ポリマー層を前記液晶ポリマー層上に備える、項目１３に記載のディスプレイデバイス。
（項目１６）
前記第１の４分の１波長板と前記第２の４分の１波長板との間の体積はさらに、前記第１の４分の１波長板と前記第２の４分の１波長板との間に延在するセル壁によって画定され、前記セル壁は、インクジェット印刷可能材料を含む、項目１０に記載のディスプレイデバイス。
（項目１７）
前記波長板レンズおよび前記切替可能な波長板アセンブリは、適応レンズサブアセンブリを構成し、前記適応レンズアセンブリは、複数の適応レンズサブアセンブリを備え、各適応レンズサブアセンブリは、
波長板レンズと、
切替可能な波長板アセンブリと
を備える、項目１０に記載のディスプレイデバイス。
（項目１８）
ディスプレイデバイスであって、
導波管アセンブリであって、前記導波管アセンブリは、光を出力し、画像を表示するように構成される導波管を備える、導波管アセンブリと、
前記導波管の主要表面に面した主要表面を有する適応レンズアセンブリであって、前記適応レンズアセンブリは、
波長板レンズと、
切替可能な波長板アセンブリであって、
体積をそれらの間に画定する第１の基板および第２の基板と、
前記体積内に配置される液晶層と、
前記液晶層の液晶分子を整合させるための第１のガイドのセットであって、前記第１のガイドのセットは、前記体積内に配置され、前記第１の基板上にある第１の電極パターンを備える、第１のガイドのセットと、
前記液晶層の液晶分子を整合させるための第２のガイドのセットであって、前記第２のガイドのセットは、前記体積内に配置され、前記第１の基板上にある第２の電極パターンを備える、第２のガイドのセットと
を備え、
前記第１の電極パターンおよび前記第２の電極パターンは、前記液晶層の液晶分子の配向を選択的に変化させるための電場を確立するように構成される、切替可能な波長板アセンブリと
を備える、適応レンズアセンブリと
を備える、ディスプレイデバイス。
（項目１９）
前記第１の電極パターンおよび前記第２の電極パターンのうちの少なくとも１つは、平行導体のアレイを備える、項目１８に記載のディスプレイデバイス。
（項目２０）
前記第１の電極パターンおよび前記第２の電極パターンのうちの少なくとも１つは、ワイヤメッシュを備える、項目１８に記載のディスプレイデバイス。
（項目２１）
前記第１の基板および前記第２の基板はそれぞれ、４分の１波長板を備える、項目１８に記載のディスプレイデバイス。
（項目２２）
前記波長板レンズおよび前記切替可能な波長板アセンブリは、適応レンズサブアセンブリを構成し、前記適応レンズアセンブリは、複数の適応レンズサブアセンブリを備え、各適応レンズサブアセンブリは、
波長板レンズと、
切替可能な波長板アセンブリと
を備える、項目１８に記載のディスプレイデバイス。
（項目２３）
他の適応レンズアセンブリを前記導波管アセンブリの前記適応レンズアセンブリと反対の側にさらに備え、前記他の適応レンズアセンブリは、関連付けられた波長板レンズと、関連付けられた切替可能な波長板アセンブリとを備える、項目１８に記載のディスプレイデバイス。
（項目２４）
適応レンズアセンブリであって、
波長板レンズと、
切替可能な波長板アセンブリであって、
体積をそれらの間に画定する第１の基板および第２の基板と、
前記体積内に配置される液晶層と、
前記液晶層の液晶分子を整合させるための第１のガイドのセットであって、前記第１のガイドのセットは、前記体積内に配置され、前記第１の基板上にある第１の電極パターンを備える、第１のガイドのセットと、
前記液晶層の液晶分子を整合させるための第２のガイドのセットであって、前記第２のガイドのセットは、前記体積内に配置され、前記第１の基板上にある第２の電極パターンを備える、第２のガイドのセットと
を備え、
前記第１の電極パターンおよび前記第２の電極パターンは、前記液晶層の液晶分子の配向を選択的に変化させるための電場を確立するように構成される、切替可能な波長板アセンブリと
を備える、適応レンズアセンブリ。
（項目２５）
前記第１の電極パターンおよび前記第２の電極パターンのうちの少なくとも１つは、平行導体のアレイを備える、項目２４に記載の適応レンズアセンブリ。
（項目２６）
前記第１の電極パターンおよび前記第２の電極パターンのうちの少なくとも１つは、ワイヤメッシュを備える、項目２４に記載の適応レンズアセンブリ。
（項目２７）
前記第１の基板および前記第２の基板はそれぞれ、４分の１波長板を備える、項目２４に記載のディスプレイデバイス。
（項目２８）
前記波長板レンズは、液晶ポリマー層を備える、項目２４に記載のディスプレイデバイス。
（項目２９）
前記適応レンズアセンブリはさらに、前記波長板レンズと前記第１の４分の１波長板との間に配置される整合層を備え、前記整合層は、少なくとも部分的に、前記液晶ポリマー層内の液晶分子の配向を決定する、項目２８に記載のディスプレイデバイス。
（項目３０）
前記波長板レンズは、他の液晶ポリマー層を前記液晶ポリマー層上に備える、項目２８に記載のディスプレイデバイス。
（項目３１）
前記波長板レンズおよび前記切替可能な波長板アセンブリは、適応レンズサブアセンブリを構成し、前記適応レンズアセンブリは、複数の適応レンズサブアセンブリを備え、各適応レンズサブアセンブリは、
波長板レンズと、
切替可能な波長板アセンブリと
を備える、項目２４に記載のディスプレイデバイス。
（項目３２）
液晶レンズを製造するためのロールツーロール装置であって、前記装置は、
処理するための基板のロールを提供するための供給基板ローラと、
レンズ構造を有する処理された基板をその上に受容するためのレンズ基板ローラと、
前記供給基板ローラから前記レンズ基板ローラへの展開された基板の経路を画定する基板経路と、
前記基板経路内の整合構造アプリケータであって、前記整合構造アプリケータは、前記基板の第１の側の液晶分子の配向を誘導するための整合構造を形成するように構成される、整合構造アプリケータと、
前記基板経路内の第１のレンズ層アプリケータであって、前記第１のレンズ層アプリケータは、
第１の液晶層を前記供給基板の第１の側に適用するように構成されるスロットダイと、
前記第１の液晶層を硬化させるように構成される第１の硬化ステーションと
を備える、第１のレンズ層アプリケータと、
を備える、装置。
（項目３３）
前記第１の硬化ステーションは、紫外線（ＵＶ）光源を備え、前記ＵＶ光源は、前記第１の液晶層の液晶分子を重合化するように構成される、項目３２に記載のロールツーロール装置。
（項目３４）
前記第１の硬化ステーションは、前記第１の液晶層を加熱するように構成される熱源を備える、項目３２に記載のロールツーロール装置。
（項目３５）
第２のレンズ層アプリケータであって、
第２の液晶層を前記硬化された第１のレンズ層上に適用するように構成されるスロットダイと、
前記第２の液晶層を硬化させるように構成される第２の硬化ステーションと
を備える、第２のレンズ層アプリケータ
をさらに備える、項目３２に記載のロールツーロール装置。
（項目３６）
前記第２の硬化ステーションは、紫外線（ＵＶ）光源を備え、前記ＵＶ光源は、前記第２の液晶層の液晶分子を重合化するように構成される、項目３５に記載のロールツーロール装置。
（項目３７）
前記第２の硬化ステーションは、前記第２の液晶層を加熱するように構成される熱源を備える、項目３５に記載のロールツーロール装置。
（項目３８）
前記整合構造アプリケータは、
整合層レジスト材料を前記供給基板の第１の側に適用するように構成されるスロットダイと、
前記整合層レジスト材料を硬化させ、固体整合層を形成するように構成される硬化ステーションと、
１つ以上の整合構造を前記固体整合層内に光学的にパターン化するように構成される光学整合器と
を備える、項目３２に記載のロールツーロール装置。
（項目３９）
前記整合構造アプリケータは、
液体レジスト材料を前記供給基板の第１の側に印刷するように構成されるインクジェットプリンタと、
前記液体レジスト材料をインプリントし、液晶整合構造を形成するように構成されるロールテンプレートと、
エネルギー源であって、前記エネルギー源は、前記液体レジスト材料が前記共形ロールテンプレートと接触している間、前記液体レジスト材料を硬化させ、整合構造のパターンを前記供給基板の第１の側に備える固体レジストを形成するように構成される、エネルギー源と
を備える、項目３２に記載のロールツーロール装置。
（項目４０）
液晶レンズを製造するためのロールツーロール装置であって、前記装置は、
処理するための基板のロールを提供するための供給基板ローラと、
整合構造をその上に有する処理された基板を受容するための中間基板ローラと、
前記供給基板ローラから前記中間基板ローラへの展開された基板の経路を画定する基板経路と、
インプリントレジストを堆積させるように構成される堆積デバイスと、
複数のローラによって画定された閉鎖されたテンプレート経路に沿って進行するように構成される連続テンプレートループであって、前記テンプレート経路のインプリント部分は、前記基板経路の一部と一致する、連続テンプレートループと、
前記整合構造を硬化させ、固体整合層を形成するように構成されるエネルギー源と
を備える、装置。
（項目４１）
前記エネルギー源は、紫外線（ＵＶ）光源を備える、項目４０に記載のロールツーロール装置。
（項目４２）
前記堆積デバイスは、前記エネルギー源の上流にあるスロットダイを備え、前記スロットダイは、前記インプリントレジストを前記供給基板の第１の側に適用するように構成され、前記テンプレートループは、前記インプリントレジストを前記ロールテンプレート経路のインプリント部分に沿ってインプリントするように構成される、項目４０に記載のロールツーロール装置。
（項目４３）
前記堆積デバイスは、前記エネルギー源の上流にあるインクジェットプリンタを備え、前記インクジェットプリンタは、インプリントレジストを印刷するように構成され、前記テンプレートは、前記インプリントレジストを前記テンプレート経路のインプリント部分に沿ってインプリントするように構成される、項目４０に記載のロールツーロール装置。
（項目４４）
前記インクジェットプリンタは、前記インプリントレジストを前記テンプレート上に堆積させるように構成される、項目４３に記載のロールツーロール装置。
（項目４５）
液晶レンズを製造するための方法であって、前記方法は、
供給基板ローラにおいて、基板の供給ロールを展開することと、
前記供給基板ローラとレンズ基板ローラとの間に延在する展開された基板を処理することと、
続いて、前記レンズ基板ローラにおいて、前記展開された基板を再巻取することと
を含み、前記展開された基板を処理することは、
整合層を前記展開された基板の第１の側に形成することと、
第１の液晶層を前記整合構造にわたって堆積させることと、
前記第１の液晶層を硬化させ、第１のレンズ層を形成することと
を含む、方法。
（項目４６）
前記第１の液晶層を堆積させることは、スロットダイを使用して、液晶を前記整合構造上に適用することを含む、項目４５に記載の方法。
（項目４７）
前記第１の液晶層を硬化させることは、前記第１の液晶層を紫外線（ＵＶ）光で照射することを含む、項目４５に記載の方法。
（項目４８）
前記第１の液晶層を硬化させることは、前記第１の液晶層をオーブン内で加熱することを含む、項目４５に記載の方法。
（項目４９）
前記整合層を形成することは、
選択的に画定可能な材料を前記基板の第１の側に堆積させることと、
前記堆積された選択的に画定可能な材料をパターン化することと
を含む、項目４５に記載の方法。
（項目５０）
前記選択的に画定可能な材料をパターン化することは、前記選択的に画定可能な材料を光に暴露し、ホログラフィック記録を形成することを含む、項目４９に記載の方法。
（項目５１）
前記選択的に画定可能な材料は、レジストであり、前記選択的に画定可能な材料をパターン化することは、
共形ロールテンプレートを使用して、前記レジストをインプリントすることと、
前記液体レジスト材料が前記共形ロールテンプレートと接触している間、前記液体レジスト材料を硬化させ、固体整合構造を前記供給基板の第１の側に形成することと
を含む、項目４９に記載の方法。
（項目５２）
第２の液晶層を前記第１のレンズ層にわたって適用することと、
前記第２の液晶層を硬化させ、固体の第２のレンズ層を形成することと
をさらに含む、項目４５に記載の方法。
（項目５３）
前記供給ロールを展開する前に、電極パターンを前記整合層が形成される側と反対の前記基板の下面側に形成することをさらに含む、項目４５に記載の方法。
（項目５４）
前記展開された基板を再巻取後、前記基板を展開し、複数の液晶セル壁を前記基板の下面上に形成することをさらに含む、項目５３に記載の方法。
（項目５５）
前記複数の液晶セル壁を形成することは、インクジェット堆積を含む、項目５４に記載の方法。
（項目５６）
前記基板を他の基板に取り付け、前記基板と前記他の基板と前記液晶セル壁とによって画定された開放体積を形成することと、
前記開放体積を液晶で充填することと
をさらに含む、項目５４に記載の方法。
（項目５７）
前記基板は、４分の１波長板である、項目４５に記載の方法。
（項目５８）
液晶レンズを製造するための方法であって、前記方法は、
供給基板ローラにおいて、基板の供給ロールを展開することであって、前記展開された基板は、前記供給基板ローラと中間基板ローラとの間に延在する、ことと、
前記基板上の液晶分子の配向を誘導するために、整合特徴を前記展開された基板上に形成することであって、前記整合特徴を形成することは、複数のローラによって画定された進行経路を有する閉ループテンプレートを使用して、前記整合特徴をインプリントすることを含む、ことと、
続いて、前記中間基板ローラにおいて、前記展開された基板を再巻取することと
を含む、方法。
（項目５９）
前記整合特徴を形成することは、
インプリントレジストを前記基板上に堆積させることと、
前記テンプレートを使用して、前記インプリントレジストをインプリントすることと、
前記テンプレートが前記インプリントレジストをインプリントする間、前記インプリントレジストを硬化させ、固体整合構造を前記供給基板上に形成することと
を含む、項目５８に記載の方法。
（項目６０）
前記供給ロールは、電極パターンを前記整合層が形成されるべき上側と反対の前記基板の下面側に備える、項目５８に記載の方法。
（項目６１）
前記展開された基板を再巻取後、前記基板を展開し、複数の液晶セル壁を前記基板の上側に形成することをさらに含む、項目６０に記載の方法。
（項目６２）
前記複数の液晶セル壁を形成することは、前記セル壁をインクジェット堆積によって印刷することを含む、項目６１に記載の方法。
（項目６３）
前記基板を他の基板に取り付け、前記基板と前記他の基板と前記液晶セル壁とによって画定された開放体積を形成することと、
前記開放体積を液晶で充填することと
をさらに含む、項目６１に記載の方法。
（項目６４）
前記基板は、４分の１波長板である、項目５８に記載の方法。
（項目６５）
液晶レンズを製造するための方法であって、前記方法は、
中間基板ローラにおいて、中間基板のロールを展開することであって、前記中間基板は、液晶分子のための整合特徴を備え、前記整合特徴は、前記中間基板の第１の側にある、ことと、
前記中間基板ローラとレンズ基板ローラとの間に延在する展開された基板を処理することであって、前記展開された基板を処理することは、
第１の液晶層を前記整合特徴上に堆積させることと、
前記第１の液晶層を硬化させ、第１のレンズ層を形成することと
を含む、ことと、
続いて、前記レンズ基板ローラにおいて、前記展開された基板を再巻取することと
を含む、方法。
（項目６６）
前記第１の液晶層を堆積させることは、液晶材料をスロットダイを用いて適用することを含む、項目６５に記載の方法。
（項目６７）
前記第１の液晶層を硬化させることは、前記第１の液晶層を紫外線（ＵＶ）光で照射することを含む、項目６５に記載の方法。
（項目６８）
前記第１の液晶層を硬化させることは、前記第１の液晶層をオーブン内で加熱することを含む、項目６５に記載の方法。
（項目６９）
第２の液晶層を前記第１のレンズ層にわたって適用することと、
前記第２の液晶層を硬化させ、固体の第２のレンズ層を形成することと
をさらに含む、項目６５に記載の方法。
（項目７０）
前記展開された基板を再巻取後、前記基板を展開し、複数の液晶セル壁を前記基板上に形成することをさらに含む、項目６５に記載の方法。
（項目７１）
前記複数の液晶セル壁を形成することは、インクジェット堆積を含む、項目７０に記載の方法。
（項目７２）
前記基板を他の基板に取り付け、前記基板と前記他の基板と前記液晶セル壁とによって画定された開放体積を形成することと、
前記開放体積を液晶材料で充填することと
をさらに含む、項目７０に記載の方法。
（項目７３）
前記基板は、前記整合特徴をその上に備える４分の１波長板である、項目４５に記載の方法。